(57)【要約】【課題】除去すべき草の茎の切れや根切れが生じにくく、また、草に対する引っ掛かりが良好で滑りが生じにくく、従来に比して高い効率のもとに除草することのできる除草具を提供する。【解決手段】把持部１の一端に、互いの板厚方向に略平行に伸びる２枚の刃部２ａ，２ｂを保持し、これらの各刃部２ａ，２ｂには、それぞれ同じ向きの側縁に、当該側縁を凹凸に形成してなる歯列３を形成した構成とすることにより、除草すべき草Ｗが２枚の刃部２ａ，２ｂの各歯列３により同時に引っ掛かり、草Ｗは２点において絡められた状態で引き抜かれることになり、茎が切れたり根切れが生じにくく、空滑りも生じにくくなる。また、２枚の刃部２ａ，２ｂの間の土がほぐされて柔らかくなる、いわゆる耕し効果により根Ｒの土離れがよくなり、根切れの防止をより一層確実なものとする。【選択図】図１
0003141154.tif 000002
【実用新案登録請求の範囲】
【請求項１】
雑草等の草を土中の根ごと除去するための除草具であって、把持部の一端に、互いの板厚方向に略平行に伸びる２枚の刃部が保持され、これらの各刃部には、それぞれ同じ向きの側縁に、当該側縁を凹凸に形成してなる歯列が形成されていることを特徴とする除草具。
【請求項２】
上記２枚の刃部が、上記把持部に対する保持部から先端部に向かうほど、両者間の角度が１０°以下の角度で僅かに接近していることを特徴とする請求項１に記載の除草具。
【請求項３】
上記２枚の刃部の少なくともいずれか一方の刃部の歯列の歯が、一つおきに当該刃部の板厚方向に屈曲していることを特徴とする請求項１または２に記載の除草具。
【請求項４】
上記２枚の刃部のうちの一方の刃部の長さが、他方の刃部の長さよりも長いことを特徴とする請求項１、２または３のいずれか１項に記載の除草具。
【請求項５】
上記２枚の刃部が、それぞれ上記把手部に対して着脱自在に装着されていることを特徴とする請求項１、２、３または４のいずれか１項に記載の除草具。
【請求項６】
上記把持部が、上記刃部を１枚ずつ保持する２つの把持部により構成され、その各把持部が、互いの位置関係を一定に位置決めする位置決め構造をもって着脱自在に一体化されていることを特徴とする請求項１、２、３、４または５のいずれか１項に記載の除草具。
【考案の詳細な説明】
【技術分野】
【０００１】
本考案は、雑草等を土中から根ごと除去するための除草具に関する。
【背景技術】
【０００２】
雑草を除去する除去具ないしは草取り具として、従来、把手部に刃部の基端を固着し、その刃部には、先端部の一側縁を凹凸に形成したものが知られている（例えば特許文献１参照）。
【０００３】
また、同じ用途の他の器具として、柄の一端に三日月状に湾曲した鎌板を固定し、その鎌板の内側湾曲縁に山形の切欠きを複数個形成した器具が知られている（例えば特許文献２参照）。
【特許文献１】特開２００７−１３５５０８号公報
【特許文献２】特開平０７−３０３４０１号公報
【考案の開示】
【考案が解決しようとする課題】
【０００４】
ところで、従来のこの種の除草のための器具は、上記した各提案のものも含めて、把持部ないしは柄に１枚の刃部ないしは鎌板等の草を絡めるための金属板を固着して、その刃部ないしは鎌板等の一側縁に凹凸を形成した構造を有するものが殆どである。このような除草具では、軽く鋭く土中に突き刺すことができ、また、石と石との間でも除草できるという利点はあるものの、以下のような問題がある。
【０００５】
すなわち、比較的薄い１枚の板状部材の側縁に形成した凹凸の歯列ないしは複数の爪状部位によって、草を１箇所において引っ掛けて引き抜くため、茎が切れたり根切れが生じやすい。また、１箇所で草を引っ掛けるが故に、特に細い根や茎の草では、うまく引っ掛からずに滑ってしまう可能性があり、更に、草に対する絡みが悪いため、除草のために何度も器具を突きたてる必要がある。また、この種の器具においては、一般に、草の根元を狙って器具を突きたてて除草するのであるが、根元がはっきりしない草、例えば横這いの細い草や茂った所、あるいは小さな子や孫の付随している草を対象とする場合には効率が悪くなるという問題もある。
【０００６】
本考案はこのような問題点を一挙に解決するものであって、除去すべき草の茎が切れたり、根切れが生じにくく、また、草に対する引っ掛かりが良好で滑りが生じにくく、従来に比して高い効率のもとに除草することのできる除草具の提供をその課題としている。
【課題を解決するための手段】
【０００７】
上記の課題を解決するため、本発明の除草具は、雑草等の草を土中の根ごと除去するための除草具であって、把持部の一端に、互いの板厚方向に略平行に伸びる２枚の刃部が保持され、これらの各刃部には、それぞれ同じ向きの側縁に、当該側縁を凹凸に形成してなる歯列が形成されていることによって特徴づけられる（請求項１）。
【０００８】
ここで、本考案においては、上記２枚の刃部が、上記把持部に対する保持部から先端部に向かうほど、両者間の角度が１０°以下の角度で僅かに接近している構成（請求項２）を好適に採用することができる。
【０００９】
また、本考案においては、上記２枚の刃部の少なくともいずれか一方の刃部の歯列の歯が、一つおきに当該刃部の板厚方向に屈曲している構成（請求項３）を採用することもできる。
【００１０】
更に、本考案においては、上記２枚の刃部のうちの一方の刃部の長さが，他方の刃部の長さよりも長い構成（請求項４）を採用してもよい。
【００１１】
更に、本考案においては、上記２枚の刃部が、それぞれ上記把手部に対して着脱自在に装着されている構成（請求項５）、あるいは、上記把持部が、上記刃部を１枚ずつ保持する２つの把持部により構成され、その各把持部が、互いの位置関係を一定に位置決めする位置決め構造をもって着脱自在に一体化されている構成（請求項６）を採用することができる。
【００１２】
本考案は、それぞれに凹凸の歯列を形成した２枚の刃部を把持部に略平行に保持し、これらの２枚の刃によって草を絡めとることにより、草に対する引っ掛かりを向上させると同時に茎の切れや根切れの発生を防止し、除草の効率を向上させるとともに、２枚の刃による耕し作用による効果を得ようとするものである。
【００１３】
すなわち、歯列が形成された互いに略平行な２枚の刃部を有しているため、草をこれら２枚の刃部の各歯列により同時に引っ掛けることになり、草は少なくとも２点において除草具に絡まった状態で引き抜かれ、従来の１枚の刃部で草を引っ掛ける場合のように茎が切れたり根切れを生じにくい。同時に、２列の歯列が隣接して存在するため、草の茎や根に対して空滑りしにくく、除草の効率を向上させることができる。
【００１４】
そして、それぞれに歯列が形成された２枚の刃部を土中に突き刺すことにより、耕し作用が生じ、その部分の土が柔らかくなって更に根切れを生じにくくし、土がほぐれて根から土を除きやすく、更に土がほぐれる結果、草の根に付随している子や孫も切れずに一体的に除去することが可能となる。
【００１５】
ここで、耕し作用とは、土をほぐして柔らかくすることを言い、一般には三つ鋤などで耕す。３つの爪を有する鋤を土に打ち起こすことにより、爪と爪の間の土が軟らかくほぐされる。本考案においては、２枚の刃部と刃部の間の土が、鋤の爪と同じ作用により軟らかくほぐされる。この耕し作用により、根が切れにくくなり、また、根の土離れが良好なものとなって、除草効率を更に向上させることができる。
【００１６】
このような耕し作用による効果は、請求項２に係る考案のように、２枚の刃部を完全に平行とはせず、先端側ほど僅かに接近するように角度を持たせると、より向上する。
また、各刃部の歯列のうち、少なくとも一方の刃部の歯列について、歯を一つ置きに刃部の板厚方向に屈曲させた請求項３に係る考案によると、草の引っ掛かりをより確実なものとすることができる。
【００１７】
請求項４に係る考案のように、２枚の刃部のうちの一方の刃部の長さを、他方の刃部の長さよりも長くしておくと、除草に際して除草具を斜めに土中に打ち込んで草の茎ないしは根に絡めようとしたとき、２枚の刃部が同時に草の茎ないしは根に当たって絡むことになり、絡みをより確実なものとすることができる。すなわち、２枚の刃部の長さが同じであると、草の根元に向けて除草具を斜めに土中に打ち込んだとき、上側の刃部が先に草の茎ないしは根に当たって絡み、その状態では未だ下側の刃部が草の茎ないしは根に到達していない状態となる。下側の刃部の長さを上側の刃部よりも長くしておくことで、上下両方の刃部が同時に草の根ないしは茎に当たって絡むことになり、草に対する絡みをより良好なものとすることができる。
【００１８】
また、本考案において、２枚の刃部における歯列の長さや歯形、歯丈等については特に限定されるものではなく、除去すべき草の種類等によって適宜のものを使用することができる。請求項５および６に係る考案は、このような観点に立った機能を持たせたものであり、また、一方の刃部が折損ないしは屈曲等の劣化が生じたとき、その刃部のみを交換可能とする機能をも持たせたものである。２枚の刃部を着脱自在に把持部に装着する構成（請求項５）か、あるいは、把持部を、刃部を１枚ずつ保持する２つの把持部により構成して、その各把持部を、互いの位置関係を一定に位置決めする位置決め構造をもって着脱自在に一体化可能に構成（請求項６）することで、上記の機能を実現することができる。
【考案の効果】
【００１９】
本考案によれば、把持部に略平行な２枚の刃部を保持し、その各刃部には、同じ向きの側縁を凹凸に形成してなる歯列を形成しているので、従来の薄い１枚の刃部で除草する器具に比して、草の茎が切れたり根切れが生じる可能性が少なくなると同時に、引っ掛かりが良好なものとなって空滑りが生じにくくなる結果、除草効率を向上させることができ、しかも、２枚の刃部による耕し作用により、根切れの発生をより有効に防止し、根の土離れを良好なものとして、除草効率をより一層向上させることができる。
【考案を実施するための最良の形態】
【００２０】
図１は本考案の実施の形態の斜視図であり、図２（Ａ），（Ｂ）はそれぞれ正面図およびその右側面図である。
【００２１】
樹脂製の把持部１に、２枚の刃部２ａ，２ｂが板厚方向に互いに略平行にインサート成形により一体に保持されている。各刃部２ａ，２ｂには、その先端部から所定の範囲にわたり、互いに同じ向きの側縁を凹凸に形成してなる歯列３が形成されている。また、各刃部２ａ，２ｂは、それぞれ歯列３の形成側の側縁が内向きとなるように湾曲している。
【００２２】
この例において各刃部２ａ，２ｂの間隔は、把持部１に保持された基端部から先端に向かうほど僅かに狭くなっている。具体的には、これらの刃部２ａ，２ｂ間の角度は約５°程度である。
【００２３】
以上の実施の形態は、図３に右手で把持部１を持って除草する場合を例示するように、土中に根Ｒを張って生えている草Ｗを除去するに当たり、一方の刃部２ｂを下側にして斜め横方向に土中に突き刺す。この際、草Ｗの根元部を狙って突き刺すことにより、図示のように土中に埋まっている根Ｒと茎の境界部分の近傍に各刃２ａ，２ｂの歯列３が絡まるので、その状態で刃部２ａ，２ｂを引き上げことにより、草Ｗは少なくとも２点で絡まった状態で引き抜かれることになって、根切れを防止して効率的に除草することができる。  
【００２４】
また、２枚の刃部２ａ，２ｂがともに草Ｗの茎ないしは根Ｒに引っ掛かるので、空滑りしにくく、効率的に草Ｗを除去することができ、また、根Ｒに子や孫が隠れて付随していても、併せて除去することができる。
【００２５】
そして、このよう２枚の刃部２ａ，２ｂで土を突き起こすことにより、これら両刃部２ａ，２ｂ間の土がほぐされて柔らかくなり、つまり耕されることになり、根Ｒの土離れがよくなり、このことも根切れの防止を一層確かなものとすることができる。              
【００２６】
ここで、以上の実施の形態においては、把持部１をインサート成形により２枚の刃２ａ，２ｂを一体化した状態で成形した例を示したが、各刃２ａ，２ｂを把持部１に対して着脱自在に装着する構成を採用することもできる。
【００２７】
図４にその例を把持部の長手方向に直交する断面図で示す。この例は、把持部１１に対して各刃部１２ａ，１２ｂをねじ止めした例を示している。樹脂製の把持部１１の両側面部に凹所を設け、その各底部を平坦にして雌ねじを形成し、各底部にそれぞれ刃部１２ａ，１２ｂを密着させた状態で、樹脂製のスペーサ兼ワッシャ４を介してねじ５で締め付けて固定している。
【００２８】
このような構造の採用により、例えば除去すべき草の種類等に応じて、適宜に刃部１２ａ，１２ｂの種類を変更するという使い方が可能となり、また、一方の刃部のみが損傷したときにその刃部のみを取り替えるといった使用も可能である。
【００２９】
また、以上の実施の形態においては、１つの把持部１に２枚の刃部２ａ，２ｂを一体に保持した例を示したが、把持部を２つに分割し、それぞれに刃部を一体に保持したものを着脱自在とした構成を採用することもできる。
【００３０】
図５にその例を斜視図で示し、図６には把持部の長手方向に沿った断面図で示す。この例においては、一方の分割把持部２１ａに刃部２２ａを、他方の分割把持部２１ｂに刃部２２ａをそれぞれインサート成形により一体化し、各分割把持部２１ａ，２１ｂどうしをねじ６によって着脱自在に一体化している。各分割把持部２１ａ，２１ｂの一方の側面には２個の凹部７１を、他方の側面には２個の凸部７２を形成し、一方の分割把持部２１ａの凹部７１に他方の分割把持部２１ｂの凸部７２が嵌まり込むことにより、互いに一定の位置関係で一体化できるようになっている。また、各分割把持部２１ａと２１ｂは、それぞれ全く同じ形状および寸法である。
【００３１】
このような構造の採用により、例えば一方の刃部２２ａのみが損傷したとき、その刃部２２ａと把持部２１ａのみを交換することが可能となるとともに、例えば石と石の間の草など、狭い所に挿入して除草する必要がある場合には、分割して除草に供する等の使い方も可能となる。
【００３２】
そして、歯列の形状については、特に限定されるものではないが、図７（Ａ）に歯先側から見た図を、（Ｂ）にはそのＢ−Ｂ断面図を示すように、歯列３の各歯のうち、一つ置きの歯３１について、鋸歯のあさりのように、刃部の板厚方向に屈曲させ、他の歯３２については刃部の板厚に沿った形状とすることができる。このような一つ置きの歯３１を屈曲させることにより、草の茎や根の絡み付きが極めて良好なものとなり、空滑りを確実に防止し、効率のよい除草が可能となる。なお、このような屈曲した歯３１は、双方の刃部に形成してもよいし、片方の刃部にのみ形成してもよい。また、その歯３１の屈曲の向きは、除草具を斜めに土に突き刺す際に、屈曲の向きが上向き、つまり地面に対して平行に近づく向きに屈曲させることが、草の茎ないしは根の芯の方向に対しては直角に近づくことになり、草の絡みつきがより良好となることが確かめられている。
【００３３】
また、２枚の刃部の長さについては、図３に示したように除草具を斜めにして土中に突き刺して除草しようとしたとき、下側となる刃部２ｂの長さを上側となる刃部２ａの長さよりも長くすることにより、２枚の刃部２ａ，２ｂをほぼ同時に草に対して絡めることが可能となって、草の引っ掛かりがより良好なものとなる。
【図面の簡単な説明】
【００３４】
【図１】本考案の実施の形態の斜視図である。
【図２】本考案の実施の形態の正面図（Ａ）およびその右側面図（Ｂ）である。
【図３】本考案の実施の形態による除草の仕方の例の説明図である。
【図４】本考案の他の実施の形態の把持部の長手方向に直交する断面図である。
【図５】本考案の更に他の実施の形態の斜視図である。
【図６】図５の実施の形態における把持部の長手方向に沿った断面図である。
【図７】本考案に用いられる歯列の形状の例の説明図であり、（Ａ）は歯先側から見た図で、（Ｂ）はそのＢ−Ｂ断面図である。
【符号の説明】
【００３５】
１，１１  把持部
２１ａ，２１ｂ  分割把持部
２ａ，２ｂ，１２ａ，１２ｂ  刃部
３  歯列
４  スペーサ兼ワッシャ
５，６  ねじ
７１  凹部
７２  凸部
Ｗ  草
Ｒ  根
【図１】
0003141154.tif 000003
【図２】
0003141154.tif 000004
【図３】
0003141154.tif 000005
【図４】
0003141154.tif 000006
【図５】
0003141154.tif 000007
【図６】
0003141154.tif 000008
【図７】
0003141154.tif 000009